(57)【要約】【課題】軒天井のような建物から突出した外方突出部の下面に集水枡を取付ける作用が簡単且つ確実にできる。【解決手段】建物から突出した外方突出部１の下面に外方突出部１内に配置した排水筒２の端部が位置する孔３を設ける。外方突出部１の下面の孔３の周囲に上記孔３と連通する孔部４を有する上蓋５を固着する。上蓋５の下面部の孔部４を挟んだ両側に側方開口６が互いに対向する嵌め込み溝部７を形成する。一方の嵌め込み溝部７の内部にばね材８を内装し、集水枡本体９の上端部の上端開口１０を挟んだ両側に嵌め込み用突出部１１を設け、一方の嵌め込み用突出部１１をばね材８を内装した方の嵌め込み溝部７に嵌め込むと共に他方の嵌め込み用突出部１１を他方の嵌め込み溝部７に嵌め込んでばね材８により一方の嵌め込み用突出部１１を弾性的に押圧する。【選択図】図１
2008133620.tif 000002
【特許請求の範囲】
【請求項１】
建物から突出した外方突出部の下面に外方突出部内に配置した排水筒の端部が位置する孔を設け、上記外方突出部の下面の孔の周囲に上記孔と連通する孔部を有する上蓋を固着し、上蓋の下面部の孔部を挟んだ両側に側方開口が互いに対向する嵌め込み溝部を形成し、一方の嵌め込み溝部の内部にばね材を内装し、集水枡本体の上端部の上端開口を挟んだ両側に嵌め込み用突出部を設け、一方の嵌め込み用突出部をばね材を内装した方の嵌め込み溝部に嵌め込むと共に他方の嵌め込み用突出部を他方の嵌め込み溝部に嵌め込んでばね材により一方の嵌め込み用突出部を弾性的に押圧して成ることを特徴とする集水枡の取付け構造。
【発明の詳細な説明】
【技術分野】
【０００１】
本発明は、軒天井のような建物から突出した外方突出部の下面に集水枡を取付けるための技術に関するものである。
【背景技術】
【０００２】
従来から軒天井のような建物から突出した外方突出部の下面に集水枡を取付けるに当たって、例えば特許文献１のようにして取付けていた。
【０００３】
すなわち、特許文献１に示された従来例は、図４に示すように、集水枡Ａを上端が上端開口となった集水枡本体９と、集水枡本体９の上端開口に取付けられる上蓋５とで構成してある。上記上蓋５は、軒天井のような建物から突出した外方突出部の下面にねじ具のような固着具により固着するようになっており、上蓋５に対して集水枡本体９はねじ具３０により固着することで取付けていた。
【０００４】
ところが、上記のような従来例にあって、上蓋５はほぼ板状をしていて薄いため、片手で持って軒天井のような高所において、上向き作業により固着具で固着することができるが、集水枡本体９は容器形状をいているため、片手で持ち難く、このため、集水枡本体９を片手で持って軒天井のような高所において上向き作業で、上蓋５に対して集水枡本体９をねじ具３０により固着する作業が難しく、作業に手間と時間がかかるという問題がある。
【０００５】
また、メンテナンスや交換のために集水枡本体９を取り外す場合も、片手で集水枡本体９を保持した状態で軒天井のような高所において上向きでねじ具３０による固着を解除して取り外す必要があり、このため、取り外し作業も面倒であるという問題がある。
【特許文献１】特開平８−１８４１４４号公報
【発明の開示】
【発明が解決しようとする課題】
【０００６】
本発明は上記の従来の問題点に鑑みて発明したものであって、軒天井のような建物から突出した外方突出部の下面に集水枡を取付ける作用が簡単且つ確実にできる集水枡の取付け構造を提供することを課題とするものである。
【課題を解決するための手段】
【０００７】
上記課題を解決するために本発明に係る集水枡の取付け構造は、建物から突出した外方突出部１の下面に外方突出部１内に配置した排水筒２の端部が位置する孔３を設け、上記外方突出部１の下面の孔３の周囲に上記孔３と連通する孔部４を有する上蓋５を固着し、上蓋５の下面部の孔部４を挟んだ両側に側方開口６が互いに対向する嵌め込み溝部７を形成し、一方の嵌め込み溝部７の内部にばね材８を内装し、集水枡本体９の上端部の上端開口１０を挟んだ両側に嵌め込み用突出部１１を設け、一方の嵌め込み用突出部１１をばね材８を内装した方の嵌め込み溝部７に嵌め込むと共に他方の嵌め込み用突出部１１を他方の嵌め込み溝部７に嵌め込んでばね材８により一方の嵌め込み用突出部１１を弾性的に押圧して成ることを特徴とするものである。
【０００８】
このような構成とすることで、建物から突出した外方突出部１の下面に上蓋５を固着した状態で、集水枡本体９を手に持って一方の嵌め込み用突出部１１をばね材８を内装した方の嵌め込み溝部７に嵌め込んで、ばね材８を圧縮するように該一方の嵌め込み用突出部１１を押し込むと共に、他方の嵌め込み用突出部１１を他方の嵌め込み溝部７の側方開口６に位置させ、この状態で、手による一方の嵌め込み用突出部１１の押し込み力を解除することで、ばね材８の弾性復元力により集水枡本体９を他方の嵌め込み溝部７側に移動させて他方の嵌め込み用突出部１１を他方の嵌め込み溝部７に嵌め込むことができる。このように、嵌め込み操作により簡単に集水枡本体９を取付けることができる。この取付け状態でおいて、ばね材８により一方の嵌め込み用突出部１１を弾性的に押圧しているので、他方の嵌め込み用突出部１１が他方の嵌め込み溝部７から抜けることがない。更に、取り外しに当っては、ばね材８に抗して一方の嵌め込み用突出部１１を一方の嵌め込み溝部７の奥側に押し込むことで、他方の嵌め込み用突出部１１を他方の嵌め込み溝部７から抜き取って取り外すことができる。
【発明の効果】
【０００９】
本発明は、上記のように、嵌め込み操作により集水枡本体を取付けることができ、しかも、この場合、集水枡本体の取付けに当たって従来のようにねじ具で取付けないので、集水枡本体を両手で持って取付け操作することが可能となり、軒天井のような建物から突出した外方突出部の下面という高所における集水枡本体の取付け作業が簡単且つ確実に、しかも安全にでき、また、振動等が作用しても抜けないように取付けることができ、また、取り外しも容易で、交換、メンテナンスが容易となる。
【発明を実施するための最良の形態】
【００１０】
以下、本発明を添付図面に示す実施形態に基いて説明する。
【００１１】
集水枡Ａは、建物から突出したベランダ、玄関ポーチの屋根等の外方突出部１の下面部に排水のために取付けるためのものである。
【００１２】
つまり、建物から突出した外方突出部１の下面には外方突出部１内に配置した排水筒２の端部が位置する孔３を設けてある。外方突出部１内に配置した排水筒２は、一端部が外方突出部１であるベランダの床や玄関ポーチの屋根に設けた排水部１６に連通接続しており、該排水筒２の他端部が上記孔３に挿入してある。
【００１３】
この排水筒２の他端部の孔３に挿入した部分から排水するように外方突出部１の下面部に集水枡Ａを取付けるようになっている。
【００１４】
集水枡Ａは集水枡本体９と、上蓋５とで構成してある。
【００１５】
上蓋５は図３に示すように中央部に孔部４が形成してあり、上蓋５の下面部には孔部４を挟んだ両側にそれぞれ嵌め込み溝部７を形成してある。両側の嵌め込み溝部７にはそれぞれ側方に開口する側方開口６が設けてあり、両嵌め込み溝部７の側方開口６が互いに対向している。両側の嵌め込み溝部７のうち一方の嵌め込み溝部７内にはコイルスプリングのようなばね材８が内装してある。図３に示す実施形態においては、上蓋５の対向する一対の辺のうち一方の辺側に２つの嵌め込み溝部７を設け、他方の辺に２つの嵌め込み溝部７を設け、一方の辺側の２つの嵌め込み溝部７内にそれぞればね材８を収納した実施形態となっている。上蓋５には固着具挿入孔１２が設けてある。
【００１６】
集水枡本体９は上端が開口し且つ下端部に筒状をした樋接続部１３を設けた容器状をしており、集水枡本体９の上端部の上端開口１０を挟んだ両側にそれぞれ外側方に向けて嵌め込み用突出部１１が突設してある。なお、集水枡本体９の上端の全周から外側方に突出するように鍔部を設けて該鍔部の対向する上端開口１０を挟んで対向する一対の部位を嵌め込み用突出部１１としてもよい。
【００１７】
集水枡Ａを建物から突出したベランダ、玄関ポーチの屋根等の外方突出部１の下面部に取付けには以下のようにして取付ける。
【００１８】
まず、外方突出部１の下面に外方突出部１の下面に設けた孔３を囲むように上蓋５を取付けて外方突出部１の下面の孔３と上蓋５の孔部４を連通させ、孔３内に挿入された排水筒２の他端部を孔部４内に挿入する。上蓋５の取付けに当たっては、上蓋５の固着具挿入孔１２から釘、木ねじ等の固着具を挿入して外方突出部１の下面部に固着する。この場合、上蓋５は略板状をしていて薄いので片手で持って上記固着具による固着作業ができるので、ベランダや玄関ポーチの軒天井のような高所における作業であるにもかかわらず、比較的容易に固着作業ができる。
【００１９】
上記のように外方突出部１の下面に上蓋５を取付けた後、上蓋５に集水枡本体９を取付ける。集水枡本体９の取付けに当たっては、集水枡本体９を手で掴んだ状態で、一方の嵌め込み用突出部１１をばね材８を内装した方の一方の嵌め込み溝部７の側方開口６から差し込んでばね材８のばね力に抗して一方の嵌め込み用突出部１１を嵌め込み溝部７の奥まで押し込んでばね材８を圧縮させ、他方の嵌め込み用突出部１１の先端を他方の嵌め込み溝部７の側方開口６の入口に位置させる。この状態で、手による一方の嵌め込み用突出部１１の押し込み力を解除することで、ばね材８の弾性復元力により集水枡本体９を他方の嵌め込み溝部７側に移動させて他方の嵌め込み用突出部１１を他方の嵌め込み溝部７に嵌め込むことができる。この場合、一方の嵌め込み用突出部１１の先端ぶは一方の嵌め込み溝部７内に嵌めこまれた状態で、ばね材８により弾性的に押圧され、これにより他方の嵌め込み用突出部１１を他方の嵌め込み溝部７内に嵌め込んだ状態を保持するようになっている。上記集水枡本体９の取付けに当たっては、ねじ具で取付けないので、集水枡本体９を両手で持って取付けることが可能である。
【００２０】
このように、嵌め込み操作により簡単に集水枡本体９を取付けることができるのであるが、上記のようにばね材８のばね力で両嵌め込み用突出部１１の両嵌め込み溝部７内への嵌め込み状態が保持されるので、振動が加わったりしても両嵌め込み用突出部１１の両嵌め込み溝部７から脱落することがなく、図１に示すように、安定して取付けられる。
【００２１】
一方、取り外しに当っては、上記と逆に集水枡本体９を手で掴んでばね材８のばね力に抗して一方の嵌め込み用突出部１１をばね材８を内装した方の一方の嵌め込み溝部７の奥側に押し込んで、他方の嵌め込み用突出部１１を他方の嵌め込み溝部７の側方開口６から抜き取り、その後、一方の嵌め込み用突出部１１を一方の嵌め込み溝部７の側方開口６から抜き取ることで、簡単に集水枡本体９から取り外すことができる。
【００２２】
そして、上記集水枡本体９の取付け、取り外しに当たっては、集水枡本体９を両手で掴んで横方向に移動しての嵌め込み作業、横方向に移動しての抜き取り作業をするのみよく、このため、軒天井のような建物から突出した外方突出部１の下面という高所における集水枡本体９の取付け作業、取り外し作業が簡単且つ確実にできることになる。
【図面の簡単な説明】
【００２３】
【図１】本発明の集水枡の取付け状態を示す一部断面となった断面図である。
【図２】同上の集水枡の分解側面図である。
【図３】同上に用いる上蓋の斜視図である。
【図４】従来例の集水枡の分解斜視図である。
【符号の説明】
【００２４】
１  外方突出部
２  排水筒
３  孔
４  孔部
５  上蓋
６  側方開口
７  嵌め込み溝部
８  ばね材
９  集水枡本体
１０  上端開口
１１  嵌め込み用突出部
【図１】
2008133620.tif 000003
【図２】
2008133620.tif 000004
【図３】
2008133620.tif 000005
【図４】
2008133620.tif 000006